(57)【要約】【課題】補助定常光の視認性が上がり、メイン発光前に行われる撮影前確認が容易となるストロボ装置及びその制御方法並びにプログラムを提供する。【解決手段】カメラ１と接続する外部ストロボ１２０は、ストロボＭＰＵ２０３、閃光発光部２０６、及び互いに異なる色温度の光を出射する第１及び第２のＬＥＤ２０８，２０９を用いて補助定常光を発光する補助定常光部２０７を備える。ストロボＭＰＵ２０３は、モデリングライトモードである場合、カメラ１の測光測色センサ１１３で測定された環境光の色温度Ｋが閾値Ｋβより大きいか否かを判別し、色温度Ｋが閾値Ｋβより大きい場合、第１のＬＥＤ２０８の光量の方が大きくなるように上記光量比を調整し、色温度Ｋが閾値Ｋβ以下である場合、第２のＬＥＤ２０９の光量の方が大きくなるように上記光量比を調整する。【選択図】図１
2020091357.tif 000002
【特許請求の範囲】
【請求項１】
閃光発光部と、互いに異なる色温度の光を出射する第１及び第２のＬＥＤを用いて補助定常光を発光する補助定常光部とを有する、外部のカメラと共に用いられるストロボ装置であって、
前記第１及び第２のＬＥＤのどちらか一方の点灯及び双方の光量比を調整した同時点灯のいずれかを行って、前記補助定常光の色温度を調整する調整手段と、
前記補助定常光部の点灯モードが静止画事前確認モードか動画モードかを判別する第１の判別手段と、
環境光の色温度Ｋを取得する色温度取得手段と、
前記第１の判別手段により前記静止画事前確認モードと判別された場合、前記色温度Ｋが閾値Ｋβより大きいか否かを判別する第２の判別手段とを備え、
前記調整手段は、
前記第２の判別手段により前記色温度Ｋが前記閾値Ｋβより大きいと判別された場合、前記第１のＬＥＤの光量が前記第２のＬＥＤの光量より大きくなるように前記光量比を調整し、
前記第２の判別手段により前記色温度Ｋが前記閾値Ｋβ以下であると判別された場合、前記第２のＬＥＤの光量が前記第１のＬＥＤの光量より大きくなるように前記光量比を調整することを特徴とするストロボ装置。
【請求項２】
前記カメラにその撮影モードを問い合わせる問合手段を更に備え、
前記第１の判別手段は、前記問合手段による問合せに対して前記カメラから、前記カメラの撮影モードが静止画撮影モードである旨の応答があった場合、前記補助定常光部の点灯モードが前記静止画事前確認モードであると判別し、前記問合手段による問合せに対して前記カメラから、前記カメラの撮影モードが動画撮影モードである旨の応答があった場合、前記補助定常光部の点灯モードが動画モードであると判別することを特徴とする請求項１記載のストロボ装置。
【請求項３】
前記色温度取得手段は、前記カメラがもつ測光測色センサで測定された色温度の情報を、前記カメラから取得することを特徴する請求項２記載のストロボ装置。
【請求項４】
環境光の輝度を取得する輝度取得手段を更に備え、
前記調整手段は、前記第１の判別手段によって前記静止画事前確認モードと判別され、且つ、前記輝度取得手段によって取得された輝度Ｌが閾値Ｌα以下の場合は、前記第１のＬＥＤの光量が前記第２のＬＥＤの光量より大きくなるように前記光量比を調整することを特徴とする請求項１乃至３のいずれか１項に記載のストロボ装置。
【請求項５】
前記輝度取得手段は、前記カメラがもつ測光測色センサで測定された輝度の情報を、前記カメラから取得することを特徴する請求項４記載のストロボ装置。
【請求項６】
前記色温度取得手段及び前記輝度取得手段は、色温度及び輝度を測定する測光測色センサであることを特徴とする請求項４又は５記載のストロボ装置。
【請求項７】
閃光発光部と、互いに異なる色温度の光を出射する第１及び第２のＬＥＤを用いて補助定常光を発光する補助定常光部とを有する、外部のカメラと共に用いられるストロボ装置であって、
前記第１及び第２のＬＥＤのどちらか一方の点灯及び双方の光量比を調整した同時点灯のいずれかを行って、前記補助定常光の色温度を調整する調整手段と、
前記補助定常光部の点灯モードが静止画事前確認モードか動画モードかを判別する判別手段と、
環境光の色温度を取得する色温度取得手段とを備え、
前記調整手段は、前記判別手段により前記静止画事前確認モードと判別された場合、前記第１のＬＥＤを点灯し、前記判別手段により前記動画モードと判定された場合、前記補助定常光の色温度が前記第１のＬＥＤの色温度から前記第２のＬＥＤの色温度の間の所定の色温度となるように前記光量比を調整して、前記第１及び第２のＬＥＤを同時点灯することを特徴とするストロボ装置。
【請求項８】
前記第１のＬＥＤの色温度は電球色、前記第２のＬＥＤの色温度は昼光色であることを特徴とする請求項１乃至７のいずれか１項に記載のストロボ装置。
【請求項９】
閃光発光部と、互いに異なる色温度の光を出射する第１及び第２のＬＥＤを用いて補助定常光を発光する補助定常光部とを有する、外部のカメラと共に用いられるストロボ装置の制御方法であって、
前記第１及び第２のＬＥＤのどちらか一方の点灯及び双方の光量比を調整した同時点灯のいずれかを行って、前記補助定常光の色温度を調整する調整ステップと、
前記補助定常光部の点灯モードが静止画事前確認モードか動画モードかを判別する第１の判別ステップと、
環境光の色温度Ｋを取得する色温度取得ステップと、
前記第１の判別ステップにおいて前記静止画事前確認モードと判別された場合、前記色温度Ｋが閾値Ｋβより大きいか否かを判別する第２の判別ステップとを有し、
前記調整ステップは、
前記第２の判別ステップにおいて前記色温度Ｋが前記閾値Ｋβより大きいと判別された場合、前記第１のＬＥＤの光量が前記第２のＬＥＤの光量より大きくなるように前記光量比を調整し、
前記第２の判別ステップにおいて前記色温度Ｋが前記閾値Ｋβ以下であると判別された場合、前記第２のＬＥＤの光量が前記第１のＬＥＤの光量より大きくなるように前記光量比を調整することを特徴とする制御方法。
【請求項１０】
閃光発光部と、互いに異なる色温度の光を出射する第１及び第２のＬＥＤを用いて補助定常光を発光する補助定常光部とを有する、外部のカメラと共に用いられるストロボ装置の制御方法であって、
前記第１及び第２のＬＥＤのどちらか一方の点灯及び双方の光量比を調整した同時点灯のいずれかを行って、前記補助定常光の色温度を調整する調整ステップと、
前記補助定常光部の点灯モードが静止画事前確認モードか動画モードかを判別する判別ステップと、
環境光の色温度を取得する色温度取得ステップとを有し、
前記調整ステップは、前記判別ステップにおいて前記静止画事前確認モードと判別された場合、前記第１のＬＥＤを点灯し、前記判別ステップにおいて前記動画モードと判定された場合、前記補助定常光の色温度が前記第１のＬＥＤの色温度から前記第２のＬＥＤの色温度の間の所定の色温度となるように前記光量比を調整して、前記第１及び第２のＬＥＤを同時点灯することを特徴とする制御方法。
【請求項１１】
請求項９又は１０記載の制御方法を実行することを特徴とするプログラム。
【発明の詳細な説明】
【技術分野】
【０００１】
本発明は、ストロボ装置及びその制御方法並びにプログラムに関し、特に撮影に用いる閃光発光だけでなく補助定常光の照射も行うストロボ装置及びその制御方法並びにプログラムに関する。
【背景技術】
【０００２】
近年、カメラのアクセサリーシュー部に取り付ける外部ストロボに、低電圧動作・高効率・小型の利点を持つＬＥＤが補助定常光として搭載されるようになってきた。
【０００３】
ここで、補助定常光とは、静止画事前確認用ライト（以下、モデリングライト）や動画用ライト（以下、ビデオライト）等に用いられる光である。
【０００４】
モデリングライトとはストロボがメイン発光を行う前に、つまりカメラで静止画のストロボ撮影のための露光が行われる前に、被写体に照射される光の方向や影の出方、暗所でのピント等の撮影前確認を撮影者が行う際に点灯される補助定常光である。モデリングライトにより発光される色は電球色（約３０００Ｋ）が多い。例えば背景が白壁の時に電球色であるモデリングライトとの色の差が大きく被写体の影の出方の確認が容易となるからである。さらに、白色光より電球色の波長のほうが人間の最大比視感度からずれる為、モデリングライトが点灯しても被写体となる人物が眩しくないというメリットがある。
【０００５】
一方、ビデオライトとは動画撮影中の補助光として点灯される補助定常光である。ビデオライトにより発光される色は昼白色（約５０００Ｋ）が多い。また、ビデオライトだけが浮かないように環境光と同じ色温度になるように色温度調整が可能なものもある。
【０００６】
モデリングライトとビデオライトを共用した場合、モデリングライトに適した色温度に合わせるとビデオライトとしては赤っぽい画像となる。逆にビデオライトに適した色温度に合わせるとモデリングライトとしては白い光になるため、被写体となる人物は補助定常光が眩しく感じたりしてしまう。
【０００７】
色温度の異なる複数のＬＥＤを利用して色温度を環境光に近づけるという公知の技術は多数開示されている。例えば、特許文献１では撮影環境下のホワイトバランスデータに基づき、２つの色温度の異なるＬＥＤから出射される光を混合して環境光に近づけている。
【先行技術文献】
【特許文献】
【０００８】
【特許文献１】特許第５３１１６９３号公報
【発明の概要】
【発明が解決しようとする課題】
【０００９】
しかしながら、上述の特許文献１に開示された従来技術では、環境光に色温度を合わせるものである。このため、ビデオライトとしては適切な色温度であっても、モデリングライトとしては環境光と同じ色温度に調整すると、光の色温度の差がなくモデリングライトの光がどこに当たっているかが分かりにくい、すなわち補助定常光の視認性が低くなってしまう。
【００１０】
そこで、本発明の目的は、補助定常光の視認性が上がり、メイン発光前に行われる撮影前確認が容易となるストロボ装置及びその制御方法並びにプログラムを提供することである。
【課題を解決するための手段】
【００１１】
本発明の請求項１に係るストロボ装置は、閃光発光部と、互いに異なる色温度の光を出射する第１及び第２のＬＥＤを用いて補助定常光を発光する補助定常光部とを有する、外部のカメラと共に用いられるストロボ装置であって、前記第１及び第２のＬＥＤのどちらか一方の点灯及び双方の光量比を調整した同時点灯のいずれかを行って、前記補助定常光の色温度を調整する調整手段と、前記補助定常光部の点灯モードが静止画事前確認モードか動画モードかを判別する第１の判別手段と、環境光の色温度Ｋを取得する色温度取得手段と、前記第１の判別手段により前記静止画事前確認モードと判別された場合、前記色温度Ｋが閾値Ｋβより大きいか否かを判別する第２の判別手段とを備え、前記調整手段は、前記第２の判別手段により前記色温度Ｋが前記閾値Ｋβより大きいと判別された場合、前記第１のＬＥＤの光量が前記第２のＬＥＤの光量より大きくなるように前記光量比を調整し、前記第２の判別手段により前記色温度Ｋが前記閾値Ｋβ以下であると判別された場合、前記第２のＬＥＤの光量が前記第１のＬＥＤの光量より大きくなるように前記光量比を調整することを特徴とする。
【００１２】
本発明の請求項７に係るストロボ装置は、閃光発光部と、互いに異なる色温度の光を出射する第１及び第２のＬＥＤを用いて補助定常光を発光する補助定常光部とを有する、外部のカメラと共に用いられるストロボ装置であって、前記第１及び第２のＬＥＤのどちらか一方の点灯及び双方の光量比を調整した同時点灯のいずれかを行って、前記補助定常光の色温度を調整する調整手段と、前記補助定常光部の点灯モードが静止画事前確認モードか動画モードかを判別する判別手段と、環境光の色温度を取得する色温度取得手段とを備え、前記調整手段は、前記判別手段により前記静止画事前確認モードと判別された場合、前記第１のＬＥＤを点灯し、前記判別手段により前記動画モードと判定された場合、前記補助定常光の色温度が前記第１のＬＥＤの色温度から前記第２のＬＥＤの色温度の間の所定の色温度となるように前記光量比を調整して、前記第１及び第２のＬＥＤを同時点灯することを特徴とする。
【発明の効果】
【００１３】
本発明によれば、補助定常光の視認性が上がり、メイン発光前に行われる撮影前確認が容易となる。
【図面の簡単な説明】
【００１４】
【図１】実施例１に係るストロボ装置を備えるカメラのハードウェア構成を示すブロック図である。
【図２】図１における外部ストロボのハードウェア構成を示すブロック図である。
【図３】図１における外部ストロボの外観図である。
【図４】実施例１に係る補助定常光点灯処理の手順を示すフローチャートである。
【図５】図４のステップＳ１０３の測光・測色情報入手処理の手順を示すフローチャートである。
【図６】実施例２に係る補助定常光点灯処理の手順を示すフローチャートである。
【図７】実施例３に係る補助定常光点灯処理の手順を示すフローチャートである。
【発明を実施するための形態】
【００１５】
以下に、本発明の好ましい実施の形態を、添付の図面に基づいて詳細に説明する。
【００１６】
（実施例１）
まず、図１のブロック図を用いて実施例１に係るストロボ装置としての外部ストロボ１２０を備えるカメラ１の構成について説明する。
【００１７】
カメラ１は、カメラＭＰＵ１０１、タイミング信号発生回路１０２、撮像素子１０３、Ａ／Ｄ変換器１０４、メモリコントローラ１０５、バッファメモリ１０６、画像表示部１０７、記録媒体Ｉ／Ｆ１０８、記録媒体１０９、及びモータ制御部１１０を備える。さらにカメラ１は、シャッター制御部１１１、測光・測色部１１２、測光測色センサ１１３、レンズ制御部１１４、焦点検出部１１５、姿勢検出部１１６、スイッチ操作部１１７、ストロボ制御部１１８、内蔵ストロボ１１９、及び外部ストロボ１２０を備える。
【００１８】
カメラＭＰＵ１０１は、撮影シーケンスなどカメラ１の全体を制御するためのマイクロコントローラである。
【００１９】
撮像素子１０３は、被写体からの反射光を電気信号に変換するＣＣＤやＣＭＯＳ等により構成される。
【００２０】
タイミング信号発生回路１０２は、撮像素子１０３を動作させるために必要なタイミング信号を発生する。
【００２１】
Ａ／Ｄ変換器１０４は、撮像素子１０３から読み出されたアナログ画像データをデジタル画像データに変換する。
【００２２】
メモリコントローラ１０５は、バッファメモリ１０６の読み書きやリフレッシュ動作などを制御する。
【００２３】
画像表示部１０７は、バッファメモリ１０６に蓄えられた画像データを表示する。
【００２４】
記録媒体Ｉ／Ｆ１０８は、メモリカードやハードディスクなどの記録媒体１０９との接続のためのインターフェースである。
【００２５】
モータ制御部１１０は、露出動作時にカメラＭＰＵ１０１からの信号に従って不図示のモータを制御することにより、不図示のミラーのアップ・ダウンやシャッターのチャージを行わせる。
【００２６】
シャッター制御部１１１は、カメラＭＰＵ１０１からの信号に従って、不図示のシャッター先幕及びシャッター後幕を吸着保持する電磁石への通電をカットして幕走行を開始することで、露出動作を制御する。
【００２７】
測光測色センサ１１３は、測光・測色部１１２からの指示に応じて、その画面内の各エリアの輝度および色温度を測定して測光・測色部１１２に出力する。
【００２８】
測光・測色部１１２は、測光測色センサ１１３から出力された輝度および色温度の情報をカメラＭＰＵ１０１に出力する。カメラＭＰＵ１０１はこの輝度の情報に基づき、撮影の露出調節のためのＡＶ（絞り値）、ＴＶ（シャッタースピード）、ＩＳＯ（撮像素子の感度）等の測光演算を行う。また測光・測色部１１２は、内蔵ストロボ１１９や外部ストロボ１２０が被写体へ向けて予備（プリ）発光した時の輝度の情報をカメラＭＰＵ１０１に出力し、ストロボ撮影時の内蔵ストロボ１１９や外部ストロボ１２０のメイン発光時の発光量を演算する。一方、測光・測色部１１２からカメラＭＰＵ１０１に出力される色温度の情報は被写体検知に利用され、焦点検出部１１５の情報と合わせることでＡＦ（オートフォーカス）の精度を向上させる。例えば、この色温度の情報に基づき肌色を認識することで、従来は手前のものに合いやすかったＡＦが、奥に人物が存在する場合はその人物に優先的にピントが合わせることが可能となる。
【００２９】
レンズ制御部１１４は、不図示のレンズマウント接点を介してカメラＭＰＵ１０１と通信し、不図示のレンズ駆動モータ及びレンズ絞りモータを動作させ、レンズの焦点調節と絞りを制御している。
【００３０】
焦点検出部１１５は、従来技術である位相差検出方式等を用いて、ＡＦ（オートフォーカス）を行う際に用いられる被写体に対するデフォーカス量を検出する。
【００３１】
姿勢検出部１１６は、光軸を中心とした回転方向に対するカメラ１の傾きを検出する。
【００３２】
スイッチ操作部１１７は、カメラ１の操作部材であり、ＳＷ１及びＳＷ２のＯＮ／ＯＦＦの信号に応じた制御を行う。ＳＷ１は、不図示のレリーズボタンの第１ストローク（例えば半押し操作）でＯＮとなり、カメラＭＰＵ１０１にＡＦおよび測光を開始させる。ＳＷ２は、レリーズボタンの第２ストローク（例えば全押し操作）でＯＮとなり、カメラＭＰＵ１０１に露出動作を開始させる。スイッチ操作部１１７は、その他不図示のカメラ１の操作部材からの信号を検知し、カメラＭＰＵ１０１にその検知した信号を送る。
【００３３】
ストロボ制御部１１８は、発光パターン（プリ発光指示やメイン発光指示、補助光発光指示等）や、メイン発光時の発光量の設定等の発光処理を行う。また、内蔵ストロボ１１９や外部ストロボ１２０との通信はストロボ制御部１１８を介して行う。
【００３４】
次に、外部ストロボ１２０のハードウェア構成について図２を用いて説明する。
【００３５】
外部ストロボ１２０は、ストロボ本体部２００、バウンス機構部２０１、及びストロボヘッド部２０２を備える。
【００３６】
ストロボ本体部２００は、外部ストロボ１２０の全体を制御するストロボＭＰＵ２０３、電源スイッチや補助定常光ＯＮ／ＯＦＦ釦等からなる操作部２０４、表示部２１２、カメラ接続部２１０などが格納される。
【００３７】
バウンス機構部２０１は、不図示のメインコンデンサーなどが格納されている。バウンス機構部２０１は、外部ストロボ１２０の照射方向可変機構であり、ストロボヘッド部２０２をストロボ本体部２００に対して水平方向と垂直方向にそれぞれ回動可能に保持する。これにより、外部ストロボ１２０からのストロボ発光の照射方向を変えたバウンス撮影を行うことが可能である。
【００３８】
ストロボヘッド部２０２は、ストロボ発光に必要な後述の閃光発光部２０６や補助定常光部２０７が格納される。
【００３９】
ストロボＭＰＵ２０３は、閃光発光制御シーケンスや補助定常光制御シーケンス、測光・測色情報入手の指示や補助定常光部２０７の点灯モード判定にかかる制御するためのストロボのマイクロコントローラである。
【００４０】
ストロボヘッド部２０２にある閃光発光部２０６は、ストロボＭＰＵ２０３からの発光信号に従って、閃光発光する、不図示のストロボ発光回路を備えている。また閃光発光部２０６はストロボ光発光に必要な不図示のキセノン管等の閃光発光管、反射傘、後述する図３のフレネルレンズ２１１等により構成される。
【００４１】
補助定常光部２０７は、第１のＬＥＤ２０８と第２のＬＥＤ２０９およびフレネルレンズ２１１の一部に形成される後述する図３の補助定常光レンズ部２１１ａによって構成される。補助定常光レンズ部２１１ａは第１のＬＥＤ２０８および第２のＬＥＤ２０９の配光を整えるレンズで、第１のＬＥＤ２０８、第２のＬＥＤ２０９の夫々の前に配置される。第１のＬＥＤ２０８の色温度は電球色（３０００Ｋ）、第２のＬＥＤ２０９の色温度は昼光色（６５００Ｋ）に設定される。ストロボＭＰＵ２０３からの発光信号に従って、第１のＬＥＤ２０８と第２のＬＥＤ２０９のどちらか一方の点灯、もしくは双方の光量比を調整した同時点灯を行って、補助定常光を発光する。ストロボＭＰＵ２０３は、第１のＬＥＤ２０８と第２のＬＥＤ２０９の光量比を調整し、同時に点灯することにより混色し、補助定常光の色温度を調整することも可能である。
【００４２】
カメラ接続部２１０は、外部ストロボ１２０がカメラ１と通信するためのインターフェースである。
【００４３】
図３は、外部ストロボ１２０の外観図である。図３（ａ）は、ストロボヘッド部２０２のフレネルレンズ２１１側からみた前側斜視図であり、図３（ｂ）はストロボ本体部２００の操作部２０４側からみた後ろ側斜視図である。
【００４４】
フレネルレンズ２１１は、閃光発光部２０６の閃光発光管からの出射光、および、反射傘からの反射光を通し、所定の角度に配光を整える。フレネルレンズ２１１の下側中央部付近には、第１のＬＥＤ２０８および第２のＬＥＤ２０９からの出射光を所定の焦点距離になるように整える補助定常光レンズ部２１１ａが一体に成形されている。第１のＬＥＤ２０８および第２のＬＥＤ２０９がフレネルレンズ２１１の下側中央に配置される理由は、閃光発光部２０６の閃光発光管および反射傘からの出射光の邪魔にならないようにするためである。また、補助定常光部２０７は、閃光発光の向きや影の出方をストロボ撮影の際のメイン発光前に確認するモデリングライトとしての用いられるため、閃光発光管からの閃光発光と補助定常光部２０７からの補助定常光の光軸がズレないことが望ましいためである。
【００４５】
以下、図４、図５を参照して、本実施例の動作について説明する。
【００４６】
図４は、外部ストロボ１２０のストロボＭＰＵ２０３によって実行される補助定常光点灯処理の手順を示すフローチャートである。尚、本実施例では補助定常光部２０７の点灯モードはユーザにより予め設定されている。
【００４７】
ステップＳ１０１では、ユーザが外部ストロボ１２０の操作部２０４の補助定常光ＯＮ／ＯＦＦ釦を押したことを検知すると、ストロボＭＰＵ２０３は補助定常光をＯＮにする。
【００４８】
ステップＳ１０２では、ストロボＭＰＵ２０３は補助定常光部２０７の点灯モードが色温度をユーザが任意に設定する色温度選択モードか否かを判別する。色温度選択モードの場合はステップＳ１１４へ進む。色温度選択モードではない場合はステップＳ１０３に進む。
【００４９】
ステップＳ１０３では、測光・測色情報を入手する測光・測色情報入手処理を実行する。この処理の詳細は後述の図５で説明を行う。
【００５０】
ステップＳ１０４では、ストロボＭＰＵ２０３は補助定常光部２０７の点灯モードがモデリングライトモードか否かを判定する。モデリングライトモード（静止画事前確認モード）とは静止画のストロボ撮影のためのメイン発光の前に補助定常光で点灯を行い、ストロボの閃光発光が被写体へどのように当たるか等の撮影前確認をするための点灯モードである。モデリングライトモードの場合はステップＳ１０５へ進む。モデリングライトモードでない場合はビデオライトモードと判別され、ステップＳ１１１へ進む。ビデオライトモード（動画モード）とは動画撮影中の補助光として補助定常光を用いる点灯モードである。
【００５１】
ステップＳ１０５では、ステップＳ１０３で入手した環境光の輝度Ｌが閾値Ｌαより大きいかを判別する。閾値Ｌαより環境光の輝度Ｌが大きい場合はステップＳ１０６へ進む。閾値Ｌα以下である場合、すなわち暗い環境下でモデリングライトを使用する場合、色温度が低い第１のＬＥＤ２０８を点灯する方が眩しくなく適当であるのでステップＳ１０７へ進む。ここで、閾値Ｌαはカメラ１の焦点検出部１１５が焦点を検出できる最低輝度に設定してもよいし、第１のＬＥＤ２０８を点灯させた時に撮影環境光との差が目視で確認できる最低輝度に設定してもよい。暗い環境下では人間の目は色を判別しにくくなるため色ではなく明るさがあることが重要である。
【００５２】
ステップＳ１０６では、ステップＳ１０３で入手した環境光の色温度Ｋが閾値Ｋβより大きいか判別する。閾値Ｋβより環境光の色温度Ｋが大きい場合はステップＳ１０７へ進む。環境光の色温度Ｋが閾値Ｋβ以下である場合はステップＳ１０９へ進む。ここで、閾値Ｋβは、第１のＬＥＤ２０８の色温度である３０００Ｋと第２のＬＥＤ２０９の色温度である６５００Ｋの間の値であればよいが、本実施例では４０００Ｋとする。
【００５３】
ステップＳ１０７では、ストロボＭＰＵ２０３は第１のＬＥＤ２０８が点灯するよう補助定常光部２０７に指示し、ステップＳ１０８で補助定常光部２０７が第１のＬＥＤ２０８を点灯し、本処理を終了する。
【００５４】
ステップＳ１０９では、ストロボＭＰＵ２０３は第２のＬＥＤ２０９が点灯するよう補助定常光部２０７に指示し、ステップＳ１１０で補助定常光部２０７が第２のＬＥＤ２０９を点灯し、本処理を終了する。
【００５５】
ステップＳ１１１以降の処理は、ステップＳ１０４でモデリングライトモードではなく、ビデオライトモードと判別された後の処理である。ビデオライトモードとは動画撮影時に補助的に光を当て明るさを補う点灯モードである。
【００５６】
ステップＳ１１１では、ステップＳ１０３で入手した環境光の色温度に近づくように、ストロボＭＰＵ２０３は第１のＬＥＤ２０８と第２のＬＥＤ２０９の光量比を演算する。
【００５７】
ステップＳ１１２では、ステップＳ１１１で演算された光量比での点灯指示を補助定常光部２０７に対して行う。
【００５８】
ステップＳ１１３では、補助定常光部２０７が第１のＬＥＤ２０８と第２のＬＥＤ２０９をステップＳ１１１で演算された光量比で点灯し、本処理を終了する。
【００５９】
ステップＳ１１４以降の処理は、ステップＳ１０２で色温度設定モードと判別された後の処理である。
【００６０】
ステップＳ１１４では、ストロボＭＰＵ２０３はユーザが予め設定し、記録されている色温度の設定値、すなわち第１のＬＥＤ２０８及び第２のＬＥＤ２０９に対する設定光量比を確認する。
【００６１】
ステップＳ１１５では、ストロボＭＰＵ２０３がステップＳ１１４で確認した設定光量比での点灯指示を補助定常光部２０７に対して行う。
【００６２】
ステップＳ１１６では、補助定常光部２０７が第１のＬＥＤ２０８と第２のＬＥＤ２０９をステップＳ１１５の点灯指示の際の設定光量比で点灯し、本処理を終了する。
【００６３】
次に図５のフローチャートを用いて、図４のステップＳ１０３の測光・測色情報入手処理の詳細を説明する。
【００６４】
ステップＳ２０１では、ストロボＭＰＵ２０３はカメラ接続部２１０を介し、測光・測色情報、すなわち環境光の輝度Ｌ及び色温度Ｋを入手するようカメラＭＰＵ１０１に要求する（色温度取得手段、輝度取得手段）。
【００６５】
ステップＳ２０２では、カメラＭＰＵ１０１がストロボＭＰＵ２０３からの要求に応じて測光・測色部１１２を介して測光測色センサ１１３を用いた測光・測色動作を行い、測光・測色情報を取得する。
【００６６】
ステップＳ２０３で、カメラＭＰＵ１０１はカメラ接続部２１０を介し、測光・測色情報をストロボＭＰＵ２０３に通知し、本処理を終了する。
【００６７】
以上、本実施例では、ユーザが予め設定した点灯モードをもとに、モデリングライトモードの時には環境光との色温度の差が出るように補助定常光部２０７が補助定常光の色温度を自動で選択し点灯する。これにより、補助定常光の視認性が上がり、メイン発光前の撮影前確認が容易となる。一方、ビデオライトモード時には環境光と同じになるように補助定常光部２０７が自動で補助定常光の色温度を調整して点灯し、補助定常光の浮きを軽減する。よって、補助定常光部２０７の点灯モードに合わせて色温度を自動で調整することができる。
【００６８】
なお、本実施例ではカメラ１の測光測色センサ１１３用いて輝度の情報及び色温度の情報を入手したが、ミラーレスカメラやライブビュー撮影時にはカメラ１の撮像素子１０３から輝度の情報及び色温度の情報を入手してもよい。また、外部ストロボ１２０に測光測色センサを搭載して情報を入手してもよい。この場合、測光測色センサはフレネルレンズ２１１と同一の面の端部に搭載する。そうすることで閃光発光部２０６と補助定常光部２０７および測光測色センサの向いている向きを同一とすることができる。特に多灯撮影時には外部ストロボ１２０がカメラ１に接続されているとは限らないので、外部ストロボ１２０自身で測光・測色情報を入手できることで、外部ストロボ１２０単品でも補助光モードに合わせて自動で色温度調整が可能となる。
【００６９】
また、本実施例では、測光測色センサ１１３を用いて環境光の輝度の情報及び色温度の情報を入手し、補助定常光部２０７の色温度を制御したが、これに限定されない。例えば、測光測色センサ１１３を用いた色情報に基づく主被写体の検知情報を補助定常光部２０７の色温度の制御に利用してもよい。具体的には、肌色を検知して主被写体が人物であると検知した場合はその人物が眩しくないように電球色よりに補助定常光部２０７の色温度を調整してもよい。一方、主被写体が人物ではないと検知した場合には主被写体との色と差が出るように補助定常光部２０７の色温度を調整してもよい。
【００７０】
また、本実施例では、環境光の色温度Ｋと閾値Ｋβの比較結果に応じて第１及び第２のＬＥＤ２０８，２０９のどちらか一方を点灯したが、色温度に影響がでない範囲で第１及び第２のＬＥＤ２０８，２０９を同時点灯してもよい。また、第１及び第２のＬＥＤ２０８，２０９のどちらか一方の色温度寄りになるように光量比を設定し同時点灯することによって光量アップを行う制御をしてもよい。
【００７１】
（実施例２）
以下、図６のフローチャートを参照して、実施例２に係る外部ストロボ１２０によって実行される補助定常光点灯処理の手順を説明する。尚。実施例２のハードウェア構成は実施例１と同一であるため、同一の構成には同一の付番を付し、重複する説明は省略する。
【００７２】
ステップＳ３０１では、ユーザが外部ストロボ１２０の操作部２０４の補助定常光ＯＮ／ＯＦＦ釦を押したことを検知すると、ストロボＭＰＵ２０３は補助定常光をＯＮにする。
【００７３】
ステップＳ３０２では、ストロボＭＰＵ２０３は補助定常光部２０７の点灯モードが色温度をユーザが任意に設定する色温度選択モードか否かを判別する。色温度選択モードの場合はステップＳ３１７へ進む。色温度選択モードではない場合はステップＳ３０３に進む。
【００７４】
ステップＳ３０３では、図５で詳細を前述した、測光・測色情報を入手する測光・測色情報入手処理を実行する。
【００７５】
ステップＳ３０４で、ストロボＭＰＵ２０３はカメラ接続部２１０を介し、カメラ１の撮影モードをカメラＭＰＵ１０１に問い合わせる。カメラ１の撮影モードとは静止画撮影モードと動画撮影モードの一方を指す。すなわち、この問合せに対して、カメラＭＰＵ１０１はカメラ接続部２１０を介してストロボＭＰＵ２０３に、カメラ１の撮影モードが静止画撮影モードであるか動画撮影モードであるかを応答する。
【００７６】
ステップＳ３０５で、ステップＳ３０４の問合せに対するカメラＭＰＵ１０１からの応答結果が、カメラ１の撮影モードが静止画撮影モードであるか否かを判定する。静止画撮影モードであると判定された場合はステップＳ３０６へ進む。静止画撮影モードでない、すなわち動画撮影モードであると判定された場合は、ステップＳ３１３へ進む。
【００７７】
ステップＳ３０６で、ストロボＭＰＵ２０３は補助定常光部２０７の点灯モードがモデリングライトモードであると判定する。
【００７８】
ステップＳ３１３で、ストロボＭＰＵ２０３は補助定常光部２０７の点灯モードがビデオライトモードであると判定する。
【００７９】
ステップＳ３０７〜Ｓ３１２、ステップＳ３１４〜ステップＳ３１９は、ステップＳ１０５〜Ｓ１０８，Ｓ１１１〜Ｓ１１６と同じ処理になるため説明を省略する。
【００８０】
以上、本実施例によれば、カメラ１が静止画モードであるか動画撮影モードであるかに応じて自動的にモデリングライトモード及びビデオライトモードの一方に設定し、設定されたモードにあった色温度に自動で調整することができる。
【００８１】
（実施例３）
以下、図７のフローチャートを参照して、実施例３に係る外部ストロボ１２０によって実行される補助定常光点灯処理の手順を説明する。尚。実施例３のハードウェア構成は実施例１と同一であるため、同一の構成には同一の付番を付し、重複する説明は省略する。
【００８２】
ステップＳ４０１では、ユーザが外部ストロボ１２０の操作部２０４の補助定常光ＯＮ／ＯＦＦ釦を押したことを検知すると、ストロボＭＰＵ２０３は補助定常光をＯＮにする。
【００８３】
ステップＳ４０２では、ストロボＭＰＵ２０３は補助定常光部２０７の点灯モードが色温度をユーザが任意に設定する色温度選択モードか否かを判別する。色温度選択モードの場合はステップＳ４０８へ進む。色温度選択モードではない場合はステップＳ４０３に進む。
【００８４】
ステップＳ４０３では、ストロボＭＰＵ２０３は補助定常光部２０７の点灯モードがモデリングライトモードか否かを判定する。モデリングライトモードの場合はステップＳ４０４へ進む。モデリングライトモードでない場合はビデオライトモードと判別され、ステップＳ４０６に進む。
【００８５】
ステップＳ４０４では、ストロボＭＰＵ２０３は第１のＬＥＤ２０８が点灯するように補助定常光部２０７に指示し、ステップＳ４０５で補助定常光部２０７が第１のＬＥＤ２０８を点灯し、本処理を終了する。
【００８６】
ステップＳ４０６では、ストロボＭＰＵ２０３が昼白色（約５０００Ｋ）の色温度になるような光量比での点灯指示を補助定常光部２０７に対して行う。
【００８７】
ステップＳ４０７では、補助定常光部２０７が第１のＬＥＤ２０８と第２のＬＥＤ２０９をステップＳ４０６の点灯指示の際の光量比で点灯し、本処理を終了する。尚、本実施例では、ステップＳ４０６で５０００Ｋの色温度となる光量比での点灯指示を行ったが、第１のＬＥＤ２０８の色温度（３０００Ｋ）より高く、第２のＬＥＤ２０９の色温度（６５００Ｋ）より低い色温度であればよい。例えば、４０００Ｋから６０００Ｋの間の所定の色温度となるように光量比で第１のＬＥＤ２０８と第２のＬＥＤ２０９が同時点灯されればよい。
【００８８】
ステップＳ４０８以降の処理は、ステップＳ４０２で色温度設定モードと判別された後の処理である。
【００８９】
ステップＳ４０８では、ストロボＭＰＵ２０３はユーザが予め設定し、記録されている色温度の設定値、すなわち第１のＬＥＤ２０８及び第２のＬＥＤ２０９に対する設定光量比を確認する。
【００９０】
ステップＳ４０９では、ストロボＭＰＵ２０３はステップＳ４０８で確認した設定光量比での点灯指示を補助定常光部２０７に対して行う。
【００９１】
ステップＳ４１０では、補助定常光部２０７は第１のＬＥＤ２０８と第２のＬＥＤ２０９をステップＳ４０９の点灯指示の際の光量比で点灯し、本処理を終了する。
【００９２】
以上、本実施例によれば、ストロボＭＰＵ２０３は、外部ストロボ１２０がカメラ１と接続されず且つ測光・測色センサを持たなくても、補助定常光部２０７の点灯モードに応じて補助定常光の色温度を設定することができる。すなわち、モデリングライトモードであれば補助定常光が電球色となるようにし、ビデオライトモードであれば補助定常光が昼白色となるようにする。これにより、複雑な処理を踏まなくても補助定常光の色温度をその点灯モードに応じて変更することができる。
【００９３】
以上、本発明の好ましい実施形態について説明したが、本発明はこれらの実施形態に限定されず、その要旨の範囲内で種々の変形及び変更が可能である。
【００９４】
［その他の実施例］
本発明の目的は、前述した実施例の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【００９５】
この場合、記憶媒体から読み出されたプログラムコード自体が前述した実施例の機能を実現することになり、プログラムコード自体及びそのプログラムコードを記憶した記憶媒体は本発明を構成することになる。
【００９６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９７】
また、上述のプログラムコードの指示に基づき、装置上で稼動しているＯＳ（基本システムやオペレーティングシステム）などが処理の一部又は全部を行い、その処理によって前述した実施例の機能が実現される場合も含まれることは言うまでもない。
【００９８】
さらに、記憶媒体から読み出されたプログラムコードが、装置に挿入された機能拡張ボードやコンピュータに接続された機能拡張ユニットに備わるメモリに書込まれ、前述した実施例の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【００９９】
１  カメラ
１０１  カメラＭＰＵ
１１３  測光測色センサ
１２０  外部ストロボ
２０３  ストロボＭＰＵ
２０４  操作部
２０６  閃光発光部
２０７  補助定常光部
２０８  第１のＬＥＤ
２０９  第２のＬＥＤ
２１０  カメラ接続部
【図１】
2020091357.tif 000003
【図２】
2020091357.tif 000004
【図３】
2020091357.tif 000005
【図４】
2020091357.tif 000006
【図５】
2020091357.tif 000007
【図６】
2020091357.tif 000008
【図７】
2020091357.tif 000009